(57)【要約】  【課題】貯蔵室を分割する縦仕切り板を貫通する配線からの熱伝導による熱ロスを低減し、圧縮機、ヒーターの運転率を低くすることのできる自動販売機を提供する。  【解決手段】電源配線及び指令配線を１次側電源２９と２次側電源３０とからなる無線電源及び第１の送受信部３１と第２の送受信部３２とからなる無線信号配線とすることにより、縦仕切り板２４を貫通する配線が無くなり、配線の熱伝導による熱ロスを無くすことができる。【選択図】図２
2008293068.tif 000002
【特許請求の範囲】
【請求項１】
横仕切り板により貯蔵室と機械室に区切られ、縦仕切り板により貯蔵室を第１の貯蔵室と第２の貯蔵室に分割した自動販売機本体と、前記機械室に収納された冷却ユニット及びメイン基板と、前記第２の貯蔵室内で商品を収納する商品ラックと、販売指令に応じて前記商品ラックから商品を搬出する搬出機構と、前記第２の貯蔵室内を冷却する蒸発器と、前記第２の貯蔵室内を加温するヒーターと、前記第２の貯蔵室内の空気を撹拌するファンと、前記第２の貯蔵室内の温度を検出するサーミスタと、前記第２の貯蔵室内に収納され、前記搬出機構、前記ヒーター及び前記ファンを動作させるサブ基板と、前記縦仕切り板に設け、前記第１の貯蔵室と前記第２の貯蔵室とを連通する通路と、前記メイン基板から前記第１の貯蔵室及び通路を通り前記サブ基板に電源を供給する電源配線と、前記サーミスタの検出する温度を前記サブ基板から前記通路及び前記第１の貯蔵室を通り前記メイン基板へと送信するセンサー信号配線と、前記搬出機構、前記ヒーター及び前記ファンを動作させる制御指令を前記メイン基板から前記第１の貯蔵室及び前記通路を通り前記サブ基板に送信する指令配線とを備えた自動販売機。
【請求項２】
横仕切り板により貯蔵室と機械室に区切られ、縦仕切り板により貯蔵室を第１の貯蔵室と第２の貯蔵室に分割した自動販売機本体と、前記機械室に収納された冷却ユニット及びメイン基板と、前記第２の貯蔵室内で商品を収納する商品ラックと、販売指令に応じて前記商品ラックから商品を搬出する搬出機構と、前記第２の貯蔵室内を冷却する蒸発器と、前記第２の貯蔵室内を加温するヒーターと、前記第２の貯蔵室内の空気を撹拌するファンと、前記第２の貯蔵室内に収納され、前記搬出機構、前記ヒーター及び前記ファンを動作させるサブ基板と、前記メイン基板から前記第１の貯蔵室を通り前記サブ基板に電源を供給する電源配線とを備え、前記電源配線は前記サブ基板に電源を供給する前記第２の貯蔵室内の２次側電源と、前記２次側電源に電磁誘導により電源を供給する前記第１の貯蔵室内の１次側電源とからなる無線電源とすることを特徴とした自動販売機。
【請求項３】
横仕切り板により貯蔵室と機械室に区切られ、縦仕切り板により貯蔵室を第１の貯蔵室と第２の貯蔵室に分割した自動販売機本体と、前記機械室に収納された冷却ユニット及びメイン基板と、前記第２の貯蔵室内で商品を収納する商品ラックと、販売指令に応じて前記商品ラックから商品を搬出する搬出機構と、前記第２の貯蔵室内を冷却する蒸発器と、前記第２の貯蔵室内を加温するヒーターと、前記第２の貯蔵室内の空気を撹拌するファンと、前記第２の貯蔵室内の温度を検出するサーミスタと、前記第２の貯蔵室内に収納され、前記搬出機構、前記ヒーター及び前記ファンを動作させるサブ基板と、前記サーミスタの検出する温度を前記サブ基板から前記第１の貯蔵室を通り前記メイン基板へと送信するセンサー信号配線と、前記搬出機構、前記ヒーター及び前記ファンを動作させる制御指令を前記メイン基板から前記第１の貯蔵室を通り前記サブ基板に送信する指令配線とを備え、前記センサー信号配線及び前記指令配線は前記第１の貯蔵室内で信号を送受信する第１の送受信部と、前記第２の貯蔵室内で信号を送受信する第２の送受信部により信号を送受信する無線信号配線とすることを特徴とした自動販売機。
【請求項４】
ファンの吹き出し側正面にファンによる風が上方向に吹き上げるような角度で構成された風向板と、搬出機構から搬出された商品を取り出し口まで誘導するデリバリシュートを備え、電源配線、指令配線及びサブ基板はいずれも前記デリバリシュートよりも下側且つ前記風向板の反前記ファン側に収納することを特徴とした請求項１から３のいずれか一項に記載の自動販売機。
【発明の詳細な説明】
【技術分野】
【０００１】
本発明は、貯蔵室間の熱ロスを低減する自動販売機に関するものである。
【背景技術】
【０００２】
近年、自動販売機に対して環境保護の観点から消費電力量削減の要求が高くなってきている。自動販売機の省エネとしては、システムの高効率化、箱体断熱性能の向上、蛍光灯の省エネ、制御の省エネなどが取り組まれており、その中で、箱体断熱性能の向上策の一つとして、貯蔵室間を仕切る仕切り板の配線を通す通路からの熱ロスを低減する自動販売機が提案されている。
【０００３】
以下、図面を参照しながら上記従来の冷却加温システムを説明する。
【０００４】
図３は従来の自動販売機の断面図であり、図４は従来の自動販売機の貯蔵室内の斜視図である。図３及び図４に示すように、自動販売機本体１は、断熱材により構成された横仕切り板２により下部に形成された機械室３と、断熱材により構成された縦仕切り板４により左右に仕切られた第１の貯蔵室５と第２の貯蔵室６とを有しており、前面に商品搬出口７を備えている。
【０００５】
第１の貯蔵室５、第２の貯蔵室６にはそれぞれ、商品を収納する第１の商品収納ラック（図示せず）及び第２の収納ラック８、第１の収納ラック及び第２の収納ラック８に備えられ、搬出指令に応じて収納された商品を１本ずつ搬出する第１の搬出機構（図示せず）及び第２の搬出機構９、第１の搬出機構及び第２の搬出機構９から搬出された商品を商品搬出口７へと導く第１のデリバリシュート１０及び第２のデリバリシュート１１、第１の貯蔵室５及び第２の貯蔵室６を冷却する第１の蒸発器（図示せず）及び第２の蒸発器１２、第１の貯蔵室５及び第２の貯蔵室６を加温する第１のヒーター（図示せず）及び第２のヒーター１３、第１の貯蔵室５及び第２の貯蔵室６内の空気を撹拌する第１のファン（図示せず）及び第２のファン１４を収納している。機械室３内には、圧縮機１５、凝縮器１６、減圧手段１７、冷媒流路切り替え手段１８、制御基板１９を収納している。
【０００６】
第１の搬出機構及び第２の搬出機構９を動作させるため、第１の配線２０が制御基板１９から横仕切り板２に備えた第１の通路（図示せず）を通り第１の搬出機構、第１のヒーター及び第１のファンへ、第２の配線２１が制御基板１９から第１の通路及び縦仕切り板４に備えた第２の通路２２を通り第２の搬出機構９、第２のヒーター１３及び第２のファン１４へと導かれている。
【０００７】
また、第１の配線２０及び第２の配線２１は、内部に庫内温度を検出するサーミスタ（図示せず）からの信号を制御基板１９へと伝える信号配線も含まれている。また、第１の通路及び第２の通路２２を通過する部分に弾性体からなる第１の封止部材（図示せず）及び第２の封止部材２３が巻き付けられており、第１の通路及び第２の通路２２内に圧縮され挿入されることにより第１の配線２０及び第２の配線２１と第１の通路及び第２の通路２２とのすき間を封止している。
【０００８】
以上のように構成された自動販売機について、以下その動作を説明する。
【０００９】
この自動販売機は、貯蔵する商品により、第１の貯蔵室５と第２の貯蔵室６を冷却、加温を切り換えて設定することができる。例えば全室冷却設定の場合は、圧縮機１５、凝縮器１６、減圧手段第１７、冷媒流路切り替え手段１８、第１の蒸発器と第２の蒸発器１２とからなる冷却システムにより第１の貯蔵室５及び第２の貯蔵室６を冷却する。この時、冷媒流路切り替え手段１８により冷媒を流す蒸発器を切り換えると共に、圧縮機１５をＯＮ／ＯＦＦさせることにより各室の商品を冷却に適した温度（４℃程度）に保つ。
【００１０】
また、第１の貯蔵室５を冷却設定、第２の貯蔵室６を加温設定とする場合は、第１の貯蔵室５を冷却システムにより冷却し、第２の貯蔵室６を第２のヒーター１３により加温する。この時、冷媒流路切り替え手段１８は、冷媒を第１の蒸発器のみに流すように切り換えられると共に、圧縮機１５をＯＮ／ＯＦＦさせることにより第１の貯蔵室５内の商品を冷却に適した温度に、第２のヒーター１３をＯＮ／ＯＦＦさせることにより第２の貯蔵室６内の商品を加温に適した温度（５５℃程度）に保つ。
【００１１】
そして、第１の貯蔵室５を加温設定、第２の貯蔵室６を冷却設定とする場合は、第１の貯蔵室を第１のヒーターにより加温し、第２の貯蔵室６を冷却システムにより冷却する。この時、冷媒流路切り替え手段１８は、冷媒を第２の蒸発器１２のみに流すように切り換えられると共に、圧縮機１５をＯＮ／ＯＦＦさせることにより第２の貯蔵室６内の商品を冷却に適した温度に、第１のヒーターをＯＮ／ＯＦＦさせることにより第１の貯蔵室５内の商品を加温に適した温度に保つ。
【００１２】
ここで、第１の貯蔵室５が冷却設定、第２の貯蔵室６が加温設定の場合または、第１の貯蔵室５が加温設定、第２の貯蔵室６が冷却設定の場合は、冷却設定の貯蔵室が約５℃、加温設定の貯蔵室が約５０℃となるため、貯蔵室間に大きな温度差が生じる。この時、貯蔵室間の断熱は、縦仕切り板４によって行っているが、第２の配線２１とそれが通過する第２の通路２２の間にすき間が生じるとそこから熱ロスが生じ、それぞれの貯蔵室の冷却負荷及び加温負荷が増加し、圧縮機１５及び第１のヒーターまたは第２のヒーター１３の消費電力量が高くなり、電気代が高くなる恐れがあった。
【００１３】
これを防ぐために、この自動販売機では、第２の配線２１の第２の通路２２を通過する部分に第２の封止部材２３を設け、すき間を封止することにより、熱ロスを抑制し、消費電力量の低い自動販売機としていた。
【特許文献１】特開２００５−１３５２６１号公報
【発明の開示】
【発明が解決しようとする課題】
【００１４】
しかしながら、上記従来の構成では、第２の配線２１と第２の通路２２間の熱ロスは抑制できるが、中を通る配線は、例えば銅などの金属で構成されており、配線の熱伝導による熱ロスは抑制できない。
【００１５】
通常の自動販売機においては、１つの貯蔵室内に搬出機構は１０個前後あり、それぞれに電源を供給するためには２０本前後の配線が必要となる。また、配線以外にも各種センサーの配線やヒーター、ファンの電源配線があり、３０本前後の配線が通っている。その断面積は１５ｍｍ２を超え、例えば電気配線に使用される銅の熱伝導率は３９０Ｗ／ｍＫと大きく、断熱材（熱伝導率０．０２Ｗ／ｍＫ程度）と比べ、熱伝達率は１０倍以上であった。
【００１６】
従って、縦仕切り板４の配線部からの熱ロスを完全に無くすことはできなかった。
【００１７】
本発明は、上記従来の課題を解決するもので、縦仕切り板を通る配線からの熱ロスを低減し、効率の高い自動販売機とすることを目的とする。
【課題を解決するための手段】
【００１８】
上記従来の課題を解決するために、本発明の自動販売機は、横仕切り板により貯蔵室と機械室に区切られ、縦仕切り板により貯蔵室を第１の貯蔵室と第２の貯蔵室に分割した自動販売機本体と、機械室に収納された冷却ユニット及びメイン基板と、第２の貯蔵室内で商品を収納する商品ラックと、販売指令に応じて商品ラックから商品を搬出する搬出機構と、第２の貯蔵室内を冷却する蒸発器と、第２の貯蔵室内を加温するヒーターと、第２の貯蔵室内の空気を撹拌するファンと、第２の貯蔵室内の温度を検出するサーミスタと、第２の貯蔵室内に収納され、搬出機構、ヒーター及びファンを動作させるサブ基板と、縦仕切り板に設け、第１の貯蔵室と第２の貯蔵室とを連通する通路と、メイン基板から第１の貯蔵室及び通路を通りサブ基板に電源を供給する電源配線と、サーミスタの検出する温度をサブ基板から通路及び第１の貯蔵室を通りメイン基板へと送信するセンサー信号配線と、搬出機構、ヒーター及びファンを動作させる制御指令をメイン基板から第１の貯蔵室及び通路を通りサブ基板に送信する指令配線とを備えたものである。
【００１９】
これによって、第１の貯蔵室が加温設定、第２の貯蔵室が冷却設定の場合または、第１の貯蔵室が冷却設定、第２の貯蔵室が加温設定の場合にも、貯蔵室を分割する縦仕切り板を通過する配線は電源配線と指令配線の６本のみと従来の自動販売機の約１／５とすることができ、配線の熱伝導による熱ロスを低減することができる。
【００２０】
また、本発明の自動販売機は、横仕切り板により貯蔵室と機械室に区切られ、縦仕切り板により貯蔵室を第１の貯蔵室と第２の貯蔵室に分割した自動販売機本体と、機械室に収納された冷却ユニット及びメイン基板と、第２の貯蔵室内で商品を収納する商品ラックと、販売指令に応じて商品ラックから商品を搬出する搬出機構と、第２の貯蔵室内を冷却する蒸発器と、第２の貯蔵室内を加温するヒーターと、第２の貯蔵室内の空気を撹拌するファンと、第２の貯蔵室内に収納され、搬出機構、ヒーター及びファンを動作させるサブ基板と、メイン基板から第１の貯蔵室を通りサブ基板に電源を供給する電源配線とを備え、電源配線はサブ基板に電源を供給する第２の貯蔵室内の２次側電源と、２次側電源に電磁誘導により電源を供給する第１の貯蔵室内の１次側電源とからなる無線電源としたものである。
【００２１】
これによって、電源配線からの熱伝導による熱ロスを無くすことができる。
【００２２】
また、横仕切り板により貯蔵室と機械室に区切られ、縦仕切り板により貯蔵室を第１の貯蔵室と第２の貯蔵室に分割した自動販売機本体と、機械室に収納された冷却ユニット及びメイン基板と、第２の貯蔵室内で商品を収納する商品ラックと、販売指令に応じて商品ラックから商品を搬出する搬出機構と、第２の貯蔵室内を冷却する蒸発器と、第２の貯蔵室内を加温するヒーターと、第２の貯蔵室内の空気を撹拌するファンと、第２の貯蔵室内の温度を検出するサーミスタと、第２の貯蔵室内に収納され、搬出機構、ヒーター及びファンを動作させるサブ基板と、サーミスタの検出する温度をサブ基板から第１の貯蔵室を通りメイン基板へと送信するセンサー信号配線と、搬出機構、ヒーター及びファンを動作させる制御指令をメイン基板から第１の貯蔵室を通りサブ基板に送信する指令配線とを備え、センサー信号配線及び指令配線は第１の貯蔵室内で信号を送受信する第１の送受信部と、第２の貯蔵室内で信号を送受信する第２の送受信部により信号を送受信する無線信号配線としたものである。
【００２３】
これによって、指令配線からの熱伝導による熱ロスを無くすことができる。
【００２４】
また、本発明の自動販売機は、ファンの吹き出し側正面にファンによる風が上方向に吹き上げるような角度で構成された風向板と、搬出機構から搬出された商品を取り出し口まで誘導するデリバリシュートを備え、電源配線、指令配線及びサブ基板はいずれもデリバリシュートよりも下側且つ風向板の反ファン側に収納したものである。
【００２５】
これによって、サブ基板を、搬出した商品の落下の衝撃から守るとともに、加温時の温風を直接サブ基板に当てないことによりサブ基板の故障を防止することができる。
【発明の効果】
【００２６】
本発明の自動販売機は、貯蔵室を分割する縦仕切り板における配線の熱伝導による熱ロスを無くし、効率を高くすることができる。
【発明を実施するための最良の形態】
【００２７】
請求項１に記載の発明は、横仕切り板により貯蔵室と機械室に区切られ、縦仕切り板により貯蔵室を第１の貯蔵室と第２の貯蔵室に分割した自動販売機本体と、機械室に収納された冷却ユニット及びメイン基板と、第２の貯蔵室内で商品を収納する商品ラックと、販売指令に応じて商品ラックから商品を搬出する搬出機構と、第２の貯蔵室内を冷却する蒸発器と、第２の貯蔵室内を加温するヒーターと、第２の貯蔵室内の空気を撹拌するファンと、第２の貯蔵室内の温度を検出するサーミスタと、第２の貯蔵室内に収納され、搬出機構、ヒーター及びファンを動作させるサブ基板と、縦仕切り板に設け、第１の貯蔵室と第２の貯蔵室とを連通する通路と、メイン基板から第１の貯蔵室及び通路を通りサブ基板に電源を供給する電源配線と、サーミスタの検出する温度をサブ基板から通路及び第１の貯蔵室を通りメイン基板へと送信するセンサー信号配線と、搬出機構、ヒーター及びファンを動作させる制御指令をメイン基板から第１の貯蔵室及び通路を通りサブ基板に送信する指令配線とを備えたことにより、貯蔵室を分割する縦仕切り板を貫通する配線を従来の３０本前後に比べ４本と少なくすることができ、配線の熱伝導による熱ロスを低減することにより、効率の高い自動販売機とすることができる。
【００２８】
請求項２に記載の発明は、横仕切り板により貯蔵室と機械室に区切られ、縦仕切り板により貯蔵室を第１の貯蔵室と第２の貯蔵室に分割した自動販売機本体と、機械室に収納された冷却ユニット及びメイン基板と、第２の貯蔵室内で商品を収納する商品ラックと、販売指令に応じて商品ラックから商品を搬出する搬出機構と、第２の貯蔵室内を冷却する蒸発器と、第２の貯蔵室内を加温するヒーターと、第２の貯蔵室内の空気を撹拌するファンと、第２の貯蔵室内に収納され、搬出機構、ヒーター及びファンを動作させるサブ基板と、メイン基板から第１の貯蔵室を通りサブ基板に電源を供給する電源配線とを備え、電源配線はサブ基板に電源を供給する第２の貯蔵室内の２次側電源と、２次側電源に電磁誘導により電源を供給する第１の貯蔵室内の１次側電源とからなる無線電源としたことにより、１次側電源と２次側電源の間を断熱材で構成することができ、電源配線の熱伝導による熱ロスを無くすことにより、効率の高い自動販売機とすることができる。
【００２９】
請求項３に記載の発明は、横仕切り板により貯蔵室と機械室に区切られ、縦仕切り板により貯蔵室を第１の貯蔵室と第２の貯蔵室に分割した自動販売機本体と、機械室に収納された冷却ユニット及びメイン基板と、第２の貯蔵室内で商品を収納する商品ラックと、販売指令に応じて商品ラックから商品を搬出する搬出機構と、第２の貯蔵室内を冷却する蒸発器と、第２の貯蔵室内を加温するヒーターと、第２の貯蔵室内の空気を撹拌するファンと、第２の貯蔵室内の温度を検出するサーミスタと、第２の貯蔵室内に収納され、搬出機構、ヒーター及びファンを動作させるサブ基板と、サーミスタの検出する温度をサブ基板から第１の貯蔵室を通りメイン基板へと送信するセンサー信号配線と、搬出機構、ヒーター及びファンを動作させる制御指令をメイン基板から第１の貯蔵室を通りサブ基板に送信する指令配線とを備え、センサー信号配線及び指令配線は第１の貯蔵室内で信号を送受信する第１の送受信部と、第２の貯蔵室内で信号を送受信する第２の送受信部により信号を送受信する無線信号配線としたことにより、第１の送受信部と第２の送受信部の間を断熱材で構成することができ、指令配線の熱伝導による熱ロスを無くすことにより、効率の高い自動販売機とすることができる。
【００３０】
請求項４に記載の発明は、ファンの吹き出し側正面にファンによる風が上方向に吹き上げるような角度で構成された風向板と、搬出機構から搬出された商品を取り出し口まで誘導するデリバリシュートを備え、電源配線、指令配線及びサブ基板はいずれもデリバリシュートよりも下側且つ風向板の反ファン側に収納したことにより、サブ基板を、搬出した商品の落下の衝撃から守るとともに、加温時の温風を直接サブ基板に当てないことによりサブ基板の故障を防止することができ、信頼性の高い自動販売機とすることができる。
【００３１】
以下、本発明の実施の形態について、図面を参照しながら説明する。なお、この実施の形態によってこの発明が限定されるものではない。
【００３２】
また、従来と同一構成についてはその動作、作用は同様であり、説明を省略する。
【００３３】
（実施の形態１）
図１は本発明の実施の形態１による自動販売機の縦断面図である。図２は同実施の形態の自動販売機の貯蔵室内の斜視図である。
【００３４】
図１、図２に示すように、自動販売機本体１は、横仕切り板２により仕切られた機械室３と、断熱材により構成された縦仕切り板２４により左右に仕切られた第１の貯蔵室５と第２の貯蔵室６とを有している。第２の貯蔵室６内には、第２の貯蔵室６内の温度を検出する第２の貯蔵室サーミスタ２５を備えている。
【００３５】
第２のファン１４の吹き出し側には、吹き出し空気を上方向に流すような角度で風向板２６を設けているとともに、第２のデリバリシュート１１の下側且つ風向板２６の反第２のファン１４側に、第２の搬出機構９、第２のヒーター１３、第２のファン１４へと電源を供給し、第２の貯蔵室サーミスタ２５の検出した温度信号を受け取るサブ基板２７を備えている。
【００３６】
また、第１の貯蔵室５内には、内部の温度を検出する第１の貯蔵室サーミスタ（図示せず）を備えている。
【００３７】
機械室３内にはメイン基板２８、第１の貯蔵室５内には１次側電源２９、第２の貯蔵室６内には２次側電源３０を備えており、メイン基板２８から１次側電源２９へと供給された電源が、電磁誘導により、縦仕切り板２４の断熱材を通して２次側電源３０へと供給される。
【００３８】
また、第１の貯蔵室５内には第１の送受信部３１、第２の貯蔵室６内には第２の送受信部３２を備えており、メイン基板２８とサブ基板２７間の信号を縦仕切り板２４の断熱材を通して無線信号により送受信する。
【００３９】
以上のように構成された自動販売機について、以下その動作を説明する。
【００４０】
例えば第１の貯蔵室５が冷却設定で第２の貯蔵室６が加温設定の場合、メイン基板２８により、第１の貯蔵室サーミスタ及び第２の貯蔵室サーミスタ２５の検出する温度に従って、第１の貯蔵室５内の商品温度を約４℃に、第２の貯蔵室６内の商品温度を約５５℃に保つように冷媒流路切り替え手段１８を切り替え、圧縮機１５及び第２のヒーター１３をＯＮ／ＯＦＦ制御する。
【００４１】
この時、第２の貯蔵室サーミスタ２５から発信される信号は、第２のサーミスタ２５からサブ基板２７、第２の送受信部、第１の送受信部を経てメイン基板２８へと送信され、メイン基板２８から発信される制御指令は、メイン基板２８から第１の送受信部３１、第２の送受信部３２を経てサブ基板２７へと送信される。
【００４２】
また、第２のヒーター１３、第２のファン１４、第２の搬出機構９へと供給される電源は、メイン基板２８から１次側電源２９、２次側電源３０、サブ基板２７を経てそれぞれに供給される。
【００４３】
そしてこのような運転状態においては、縦仕切り板２４を隔てて第１の貯蔵室５は冷却設定の約５℃、第２の貯蔵室６は加温設定の約５０℃となり大きな温度差が生じる。
【００４４】
しかしながら、本実施の形態の自動販売機においては、１次側電源２９と２次側電源３０の間及び第１の送受信部３１と第２の送受信部３２の間は、熱伝導率の高い配線で繋ぐ必要が無く、断熱材で構成することができ、配線を通す際のすき間を無くすことができる上に、配線の熱伝導による負荷の増加も無い。
【００４５】
また、第１の貯蔵室５が加温設定、第２の貯蔵室６が冷却設定の場合にも各貯蔵室内の冷温の動作が逆になるだけで、同様の動作、作用となる。
【００４６】
これにより、圧縮機１５及び第２のヒーター１３の運転率が高くなることはない。
【００４７】
従って、圧縮機１５及び第２のヒーター１３の消費電力量を低減することができ、効率の高い自動販売機とすることができる。
【００４８】
また、本実施の形態においては、サブ基板２７を第２のデリバリシュート１１よりも下側に設けている。これにより、サブ基板２７を、搬出した商品の落下の衝撃から守ることができる。
【００４９】
また、第２の貯蔵室６が加温設定の場合、第２のファン１４から吹き出される温風の温度は６０℃から８０℃と高くなる。このような高温の風を基板部品に当てると、部品を故障させる恐れがある。しかしながら、本実施の形態においては、サブ基板２７は、風向板２６の反第２のファン１４側に設けている。これにより、サブ基板２７の温度は５０℃程度に抑制することができ、サブ基板２７は故障するような高温となることはない。
【００５０】
従って、信頼性の高い自動販売機とすることができる。
【００５１】
なお、本実施の形態において、貯蔵室は２室として説明したが、貯蔵室が３室以上であっても、縦仕切り板を配線が通らない構成とすることにより同様の効果が得られる。
【００５２】
また、本実施の形態において、無線電源、無線信号配線とするのは第２の配線２１の縦仕切り板２４を貫通する部分のみとしたが、第１の配線２０及び第２の配線２１の横仕切り板２を貫通する部分を無線電源、無線信号配線とすることにより、第１の貯蔵室５の負荷を低減することができ、さらに効率を高くすることができる。
【００５３】
また、本実施の形態において、１次側電源２９と２次側電源３０の間及び第１の送受信部３１と第２の送受信部３２の間は断熱材で構成したが、電気伝導性の無いもので有れば同様の効果が得られ、発泡ウレタン、グラスウールなど、熱伝導率が低い物質ほど高い効果が得られる。
【００５４】
また、本実施の形態において、縦仕切り板２４内にアルミ箔やアルミ蒸着膜などの電気伝導性のある物質で被った真空断熱材を用いる場合は、１次側電源２９と２次側電源３０の間及び第１の送受信部３１と第２の送受信部３２の間に真空断熱材が介在しない位置に真空断熱材を設ける必要がある。
【００５５】
また、本実施の形態において、風向板２６を設けない構成においても、第２のファン１４の温風は自然対流により上方向に流れることになる。従って、サブ基板２７を第２のデリバリシュート１１よりも上側に設けた時に比べ、サブ基板２７が故障する可能性は低くなる。
【産業上の利用可能性】
【００５６】
以上のように、本発明にかかる自動販売機は、配線が貫通する縦仕切り板で仕切られた貯蔵室の温度差による熱ロスを低減できるので、複数の貯蔵室を持ち、仕切り板を配線が貫通し、冷却、加温設定により貯蔵室間に温度差が生じる全ての機器に適用できる。
【図面の簡単な説明】
【００５７】
【図１】本発明の実施の形態１による自動販売機の縦断面図
【図２】同実施の形態の貯蔵室内の斜視図
【図３】従来の自動販売機の縦断面図
【図４】従来の自動販売機の貯蔵室内の斜視図
【符号の説明】
【００５８】
１    自動販売機本体
２    横仕切り板
３    機械室
５    第１の貯蔵室
６    第２の貯蔵室
８    第２の収納ラック
９    第２の搬出機構
１１  第２のデリバリシュート（デリバリシュート）
１２  第２の蒸発器
１３  第２のヒーター
１４  第２のファン
１５  圧縮機
１８  冷媒流路切り替え手段
２４  縦仕切り板
２５  第２の貯蔵室サーミスタ
２６  風向板
２７  サブ基板
２８  メイン基板
２９  １次側電源
３０  ２次側電源
３１  第１の送受信部
３２  第２の送受信部
【図１】
2008293068.tif 000003
【図２】
2008293068.tif 000004
【図３】
2008293068.tif 000005
【図４】
2008293068.tif 000006